(57)【要約】  【課題】球障害部の大小に関係なく容易に強度の向上を図ることができ、また遊技球の球噛みを未然に防止できるようにする。  【解決手段】遊技盤１１の前面のセンターケース２６とガイドレール１２との間の左側通路３８に対応して遊技盤１１の前面に通路板３８Ａを備え、この通路板３８Ａの前面に、左側通路３８内を通過する遊技球の障害となる球障害部６３を一体的に備える。通路板３８Ａは他の球通過面６６ａよりも前側に突出する球通過面６７ａを設け、この球通過面６７ａに球障害部６３を配置する。【選択図】図４
2015054110.tif 000002
【特許請求の範囲】
【請求項１】
遊技盤の前面側の第１遊技部品と第２遊技部品との間の通路に対応して前記遊技盤の前面側に通路板を備え、該通路板の前面側に、前記通路内を通過する遊技球の障害となる球障害部を一体的に備えた弾球遊技機において、
前記通路板は他の球通過面よりも前側に突出する突出球通過面を設け、
該突出球通過面に前記球障害部を配置した
ことを特徴とする弾球遊技機。
【請求項２】
前記遊技部品は少なくとも一部が前記遊技盤の前面に当接する台板を備え、
該台板の外周側に前記通路板を一体的に備えた
ことを特徴とする請求項１に記載の弾球遊技機。
【請求項３】
前記通路板は第１球通過面と、該第１球通過面の下側に配置され且つ前記第１球通過面よりも前側に突出する第２球通過面と、前記第１球通過面と前記第２球通過面とを傾斜状に接続する傾斜球通過面とを一体的に備えた
ことを特徴とする請求項１又は２に記載の弾球遊技機。
【請求項４】
前記球障害部は遊技球の落下方向を変化させる障害突起及び／又は遊技球を誘導する誘導突起である
ことを特徴とする請求項１〜３の何れかに記載の弾球遊技機。
【請求項５】
前記遊技盤の遊技領域に配置されたセンターケースと、前記遊技領域へと遊技球を案内するガイドレールとの間に左側通路を備え、
前記センターケースは前記左側通路を挟んで前記ガイドレールと対向する周壁部と、該周壁部から前記左側通路側に突出する前記通路板とを一体的に備えた
ことを特徴とする請求項１〜４の何れかに記載の弾球遊技機。
【請求項６】
前記左側通路は前記ガイドレールを経て遊技球を打ち込む打ち込み領域と、該打ち込み領域の下側に配置され且つ前記球障害部を有する障害領域とを備え、
前記通路板は裏面が前記遊技盤に当接する前記打ち込み領域側の当接板部と、裏面が前記遊技盤から離間する前記障害領域側の離間板部とを備えた
ことを特徴とする請求項５に記載の弾球遊技機。
【請求項７】
前記障害領域は凹凸状に形成された前記周壁部と、該周壁部と前記ガイドレールとの間に配置された複数の前記球障害部とを有する
ことを特徴とする請求項６に記載の弾球遊技機。
【請求項８】
前記障害領域は遊技球を１個ずつ整列させる整列部と、前記打ち込み領域から前記整列部に集合させる集合部とを有する
ことを特徴とする請求項６に記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技領域の略中央に配置されたセンターケースとその左側のガイドレールとの間に左側通路を、センターケースとその右側の外周区画部材との間に右側通路を夫々設けて、遊技状況に応じて左側通路と右側通路との何れかに遊技球を集中させながらゲームを行えるようにしたものがある。
【０００３】
近年はセンターケース及びこれに対応する液晶式等の画像表示手段の大型化に伴い、遊技領域内の遊技球の落下領域がますます減少する傾向にあり、特に左側通路、右側通路等の通路では遊技釘の配置領域を確保し難くなりつつある。
【０００４】
そこで、遊技盤の前面に当接するセンターケースの台板を利用して、左側通路の上部側の打ち込み領域に張り出す通路板を台板に設けて、その通路板の前面に、ガラス扉側へと前方に突出する複数の障害突起を一体に設ける等の方策が講じたものがある（特許文献１）。
【先行技術文献】
【特許文献】
【０００５】
【特許文献１】特開２０１０−１３６８６７号公報
【発明の概要】
【発明が解決しようとする課題】
【０００６】
このように台板から各通路側に張り出す通路板に障害突起等の球障害部を一体に設けているが、その通路板は裏面が遊技盤の前面に当接する薄い平板状であるため、球障害部の大きさ、形状、構造等によっては強度が低下する問題がある。
【０００７】
即ち、左側通路の打ち込み領域では比較的通路幅が大であり、大型の障害突起を配置できるため、遊技盤の前面に当接する通路板に障害突起を設けても容易に強度を確保することができる。
【０００８】
しかし、球障害部がピン形状又はそれに近い形状の障害突起の場合には、遊技盤の前面に当接する通路板に障害突起を一体に形成すれば、障害突起の通路板からの突出長さが大になり、その長い障害突起の先端側に遊技球が間断なく衝突するため、障害突起の基部側の負担が大となって損傷し易くなる等の問題がある。
【０００９】
また薄い平板状の通路板が遊技盤の前面に当接する場合には、遊技盤の前面に開閉自在に配置されたガラス扉のガラス板と通路板との間の間隔が大になるため、センターケースの周壁部と障害突起との間の狭い箇所に２個又は３個の遊技球が集中した場合には、その遊技球がガラス板と通路板との間にブリッジ状に噛み込む所謂球噛みが発生する惧れもある。
【００１０】
本発明は、このような従来の問題点に鑑み、球障害部の強度の向上を図ることができ、また遊技球の球噛みを防止することができる弾球遊技機を提供することを目的とする。
【課題を解決するための手段】
【００１１】
本発明は、遊技盤の前面側の第１遊技部品と第２遊技部品との間の通路に対応して前記遊技盤の前面側に通路板を備え、該通路板の前面側に、前記通路内を通過する遊技球の障害となる球障害部を一体的に備えた弾球遊技機において、前記通路板は他の球通過面よりも前側に突出する突出球通過面を設け、該突出球通過面に前記球障害部を配置したものである。
【００１２】
前記遊技部品は少なくとも一部が前記遊技盤の前面に当接する台板を備え、該台板の外周側に前記通路板を一体的に備えたものでもよい。前記通路板は第１球通過面と、該第１球通過面の下側に配置され且つ前記第１球通過面よりも前側に突出する第２球通過面と、前記第１球通過面と前記第２球通過面とを傾斜状に接続する傾斜球通過面とを一体的に備えたたものでもよい。
【００１３】
前記球障害部は遊技球の落下方向を変化させる障害突起及び／又は遊技球を誘導する誘導突起であってもよい。前記遊技盤の遊技領域に配置されたセンターケースと、前記遊技領域へと遊技球を案内するガイドレールとの間に左側通路を備え、前記センターケースは前記左側通路を挟んで前記ガイドレールと対向する周壁部と、該周壁部から前記左側通路側に突出する前記通路板とを一体的に備えたものでもよい。
【００１４】
前記左側通路は前記ガイドレールを経て遊技球を打ち込む打ち込み領域と、該打ち込み領域の下側に配置され且つ前記球障害部を有する障害領域とを備え、前記通路板は裏面が前記遊技盤に当接する前記打ち込み領域側の当接板部と、裏面が前記遊技盤から離間する前記障害領域側の離間板部とを備えたものでもよい。
【００１５】
前記障害領域は凹凸状に形成された前記周壁部と、該周壁部と前記ガイドレールとの間に配置された複数の前記球障害部とを有するものでもよい。前記障害領域は遊技球を１個ずつ整列させる整列部と、前記打ち込み領域から前記整列部に集合させる集合部とを有するものでもよい。
【発明の効果】
【００１６】
本発明によれば、球障害部の強度の向上を図ることができ、また遊技球の球噛みを防止することができる利点がある。
【図面の簡単な説明】
【００１７】
【図１】本発明の第１の実施形態を示すパチンコ機の斜視図である。
【図２】同パチンコ機の平面断面図である。
【図３】同遊技盤の正面図である。
【図４】同遊技盤の要部の正面断面図である。
【図５】図４のＡ−Ａ線断面図である。
【図６】図４のＢ−Ｂ線断面図である。
【図７】図４のＣ−Ｃ線断面図である。
【図８】図４のＤ−Ｄ線断面図である。
【図９】同遊技盤の要部の分解斜視図である。
【図１０】本発明の第２の実施形態を示す遊技盤の正面図である。
【図１１】同遊技盤の要部の正面断面図である。
【図１２】同遊技盤の要部の平面断面図である。
【図１３】同遊技盤の要部の側面断面図である。
【図１４】本発明の第３の実施形態を示す遊技盤の要部の正面断面図である。
【図１５】同要部の平面断面図である。
【図１６】同要部の平面断面図である。
【図１７】本発明の第４の実施形態を示す遊技盤の要部の正面断面図である。
【図１８】同要部の側面断面図である。
【図１９】同要部の平面断面図である。
【図２０】本発明の第５の実施形態を示す遊技盤の要部の側面断面図である。
【図２１】同要部の平面断面図である。
【図２２】本発明の第６の実施形態を示す遊技盤の要部の側面断面図である。
【図２３】本発明の第７の実施形態を示す遊技盤の要部の正面断面図である。
【図２４】同要部の平面断面図である。
【図２５】同要部の側面断面図である。
【発明を実施するための形態】
【００１８】
以下、本発明の第１の実施形態を図面に基づいて詳述する。
【００１９】
図１〜図９は本発明をパチンコ機に採用した第１の実施形態を例示する。パチンコ機は、図１、図２に示すように矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００２０】
前面板５の前側には発射用の遊技球を貯留する球供給皿７が配置され、その側方に遊技球を発射する発射手段の発射ハンドル８が設けられている。ガラス扉４はその透視窓９を塞ぐ前後２枚のガラス板１０を有し、このガラス扉４の裏側に、ガラス扉４に対応するように前枠３に遊技盤１１が着脱自在に装着されている。
【００２１】
遊技盤１１の前面には、図２、図３に示すように、発射手段から発射された遊技球を誘導するガイドレール１２と、略円弧状の内周面を有する区画部材１３とが周方向に装着され、そのガイドレール１２と区画部材１３との内側が略円形状の遊技領域１４となっている。ガイドレール１２は内レール１５と外レール１６とを有する。
【００２２】
内レール１５は合成樹脂製等であって、遊技盤１１の一側下部の遊技球の受け入れ部１７側と遊技領域１４の一側上部との間に配置されており、この内レール１５の上端部に、遊技領域１４からガイドレール１２側への遊技球の戻りを防止するための戻り防止具１８が設けられている。外レール１６は金属帯板製であって、一側下部の遊技球の受け入れ部１７側と遊技領域１４の他側上部との間に前飾り部材１９の内周支持壁２０に沿って配置されている。
【００２３】
前飾り部材１９は外レール１６の外周で遊技盤１１の前面に装着されており、遊技盤１１の外側縁と略対応する側縁には上下方向に不正防止部材２１が上下方向に装着されている。不正防止部材２１は図６、図７に示すように、前後方向に長い断面Ｃ字状に形成された取り付け部２２と、この取り付け部２２の前端側から内側へと斜め方向に傾斜する阻止部２３とを一体的に備え、ゴム等の弾性を有する材料により一体成型されている。
【００２４】
取り付け部２２は前飾り部材１９の上下方向の側縁部２４を前後両側から抱き込むように外側から着脱自在に装着されている。阻止部２３はガラス扉４を閉じたときにガラス板１０の裏面に接触して、前枠３とガラス扉４との間を経て薄板等の不正部材が挿入されるようなことがあっても、その不正部材の遊技領域１４側への侵入を阻止できるようになっている。
【００２５】
遊技領域１４には、図３に示すようにセンターケース２６、画像表示手段２７、普通図柄始動手段２８、第１特別図柄始動手段２９、第２特別図柄始動手段３０、特別遊技用の開閉入賞手段３１、普通入賞手段３２、普通図柄表示手段３３、第１特別図柄表示手段３４、第２特別図柄表示手段３５等の各種の遊技部品が配置されている。
【００２６】
センターケース２６は遊技領域１４の左右方向の略中央の開口部３７に対応して遊技盤１１の前面に装着されている。このセンターケース２６の左右両側の遊技領域１４には、センターケース２６と左側のガイドレール１２との間に左側通路３８が、センターケース２６と右側の区画部材１３との間に右側通路３９が夫々形成されており、遊技領域１４の上部に打ち込まれた遊技球はその左側通路３８、右側通路３９の何れかを経て落下した後、センターケース２６の下側の遊技領域１４で合流するようになっている。
【００２７】
センターケース２６は、図２、図５〜図７に示すように、外周部が開口部３７の外側で遊技盤１１の前面に当接する台板４０と、この台板４０の下部側を除く領域で台板４０から前側に突出する略門形状の周壁部４１と、この周壁部４１の前側に装着された前飾り板（前部材）４２と、この前飾り板４２等の内周から後方に屈曲して画像表示手段２７に対応する表示窓４３を形成する窓周壁４４と、台板４０から裏側に突出して開口部３７の内周近傍に配置された裏補強壁４５とを有し、台板４０を介して遊技盤１１の前面側に装着されている。
【００２８】
なお、台板４０は外周部が遊技盤１１の前面に当接する等、その一部が遊技盤１１の前面に当接すればよいし、略全部が遊技盤１１の前面に当接してもよい。裏補強壁４５は台板４０に周方向の全周に設けてもよいし、その一部に設けてもよい。
【００２９】
台板４０は裏側に突出する１又は複数の位置決め突起（図示省略）を有し、その位置決め突起により遊技盤１１の所定位置に位置決めされ、外周部等の適当部位に配置されたネジ等の固定手段４６により遊技盤１１に着脱自在に装着されている。前飾り板４２は図７に示すように、裏側の周方向の複数箇所に設けられた取り付けボス４７と、台板４０の裏側から取り付けボス４７に螺合するネジ等の固定手段４８とにより台板４０に固定されている。
【００３０】
センターケース２６には前飾り板４２等の適当箇所に普通図柄表示手段３３、第１特別図柄表示手段３４、第２特別図柄表示手段３５が装着されている。画像表示手段２７は図２、図３に示すように、表示窓４３に対応して遊技盤１１の裏側に配置された液晶式等のパネル状の画像表示部４９を有し、画像表示部４９は支持部材５０を介して遊技盤１１の裏側に装着されている。
【００３１】
普通図柄始動手段２８は通過ゲート式であって、台板４０から右側通路３９の下側に突出する支持板５１に装着されている。第１特別図柄始動手段２９、第２特別図柄始動手段３０はセンターケース２６と最下部のアウト球口５２との間に配置されている。この特別図柄始動手段２９，３０の左側には３個（複数）の普通入賞手段３２が配置され、右側には開閉入賞手段３１と普通入賞手段３２とが配置されている。
【００３２】
普通図柄表示手段３３は普通図柄を変動表示するためのもので、複数種類の普通図柄（例えば２種類の「○」「×」）に対応する複数個の発光素子により構成されており、普通図柄始動手段２８が遊技球を検出することを条件に２個の発光素子が交互に点灯するように所定時間点滅して、普通図柄始動手段２８の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。なお、変動後の普通図柄は１／１０程度の所定の確率で特定態様となる。
【００３３】
第１特別図柄表示手段３４、第２特別図柄表示手段３５は発光部位の変化等で第１特別図柄、第２特別図柄を変動表示可能なセグメント式等の表示手段により構成されており、第１特別図柄表示手段３４は第１特別図柄始動手段２９が、第２特別図柄表示手段３５は第２特別図柄始動手段３０が夫々遊技球を検出することを条件に、第１特別図柄、第２特別図柄が所定時間変動して、第１特別図柄始動手段２９、第２特別図柄始動手段３０の遊技球の検出時に抽選された乱数値が予め定められた特別遊技判定値と一致した場合に所定の特別態様で、それ以外の場合に非特別態様で停止するようになっている。
【００３４】
なお、変動後の第１特別図柄、第２特別図柄は、通常確率状態中は１／３５０等の通常確率で特別遊技となり、特別遊技状態終了後の高確率状態中は１／３５等の高確率で特別遊技となる。特別遊技状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段３５の図柄変動が優先する。更に高確率状態中は第１特別図柄、第２特別図柄の変動時間も短縮される。
【００３５】
画像表示手段２７は第１特別図柄表示手段３４、第２特別図柄表示手段３５に対応する演出図柄表示手段５３を構成するもので、第１特別図柄、第２特別図柄の変動時にその図柄変動に同期して変動する１個又は複数個、例えば３個の演出図柄５４ａ〜５４ｃを変動表示する。演出図柄５４ａ〜５４ｃは第１特別図柄始動手段２９、第２特別図柄始動手段３０の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段５３は第１特別図柄表示手段３４、第２特別図柄表示手段３５に対応して別々に設けてもよい。
【００３６】
演出図柄５４ａ〜５４ｃの変動後の停止図柄は、第１特別図柄、第２特別図柄が特別態様で停止する場合には全てが揃う特別演出態様となり、第１特別図柄、第２特別図柄が外れ態様で停止する場合には少なくとも一部が異なる非特別演出態様となる。
【００３７】
例えば、演出図柄５４ａ〜５４ｃには０〜９までの数字図柄が使用されており、特別図柄が特別態様で停止する場合には演出図柄５４ａ〜５４ｃは「７・７・７」等の特別演出態様で停止し、特別図柄が非特別態様で停止する場合には演出図柄５４ａ〜５４ｃは「２・４・５」等の非特別演出態様で停止する。
【００３８】
第１特別図柄始動手段２９は非開閉式であって、画像表示手段２７の下側に配置されており、この第１特別図柄始動手段２９は右側通路３９に比較して左側通路３８を経て落下する遊技球が入賞し易くなっている。
【００３９】
第２特別図柄始動手段３０は開閉式であって、左右一対の開閉部材３０ａを備えた電動チューリップ式入賞手段等により構成され、普通図柄表示手段３３の変動後の普通図柄が特定態様で停止した場合に所定の開放パターンで開放するようになっている。
【００４０】
第２特別図柄始動手段３０の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００４１】
開閉入賞手段３１は変動後の第１特別図柄、第２特別図柄が特別態様で停止した場合に発生する特別状態中に所定の開放パターンで開閉するもので、大入賞口５５を開閉する開閉板５６を有し、この大入賞口５５に遊技球が入賞したときに、他の普通入賞手段３２等への入賞よりも多くの賞球が払い出されるようになっている。
【００４２】
なお、開閉入賞手段３１の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、特別遊技の抽選時にその複数種類の開閉パターンの何れかが抽選される。
【００４３】
普通図柄始動手段２８は遊技球の検出を条件に普通図柄表示手段３３の普通図柄を変動させるためのもので、右側通路３９を経て落下する遊技球の通過を検出するようになっている。
【００４４】
左側通路３８は、図３、図４、図９に示すように、ガイドレール１２の内レール１５の上端部の上下近傍に対応する打ち込み領域６０と、打ち込み領域６０の下側に配置された障害領域６１と、障害領域６１の下側で多数の遊技釘が設けられた釘打ち領域６２とを有する。
【００４５】
台板４０は、図４〜図９に示すように、センターケース２６の周壁部４１の外周側から内レール１５及び内レール１５の延長線上の近傍まで張り出し、且つ打ち込み領域６０及び障害領域６１の略前面に対応して設けられた通路板３８Ａを一体的に備え、その打ち込み領域６０及び障害領域６１の通路板３８Ａに、前側へと突出する複数の球障害部６３が一体的に設けられている。
【００４６】
左側通路３８内の通路板３８Ａは、図４〜図９に示すように、上下方向の略全体が略均一な板厚であって、打ち込み領域６０に対応する上当接板部６６と、障害領域６１に対応する離間板部６７と、釘打ち領域６２の上側に位置する下当接板部６８と、上当接板部６６から離間板部６７へと前向きに傾斜する上傾斜板部６９と、離間板部６７から下当接板部６８へと後向きに傾斜する下傾斜板部７０とを一体的に備えている。
【００４７】
上当接板部６６は、図４、図５、図７〜図９に示すように、裏面の一部が遊技盤１１の前面に当接しており、前面に第１球通過面６６ａが形成されている。離間板部６７は図４、図６、図８及び図９に示すように、台板４０の板厚の２倍又はその前後の寸法だけ裏面が遊技盤１１の前面から前側に離間しており、前面の第２球通過面６７ａが第１球通過面６６ａから通路板３８Ａの板厚の２倍又はその前後の寸法だけ前側に突出して形成されている。なお、離間板部６７の裏側には、遊技盤１１の前面に当接するリブ等の支持台を設けてもよい。
【００４８】
第２球通過面６７ａとガラス扉４のガラス板１０の裏面との間隔は、第２球通過面６７ａとガラス板１０との間に遊技球がブリッジ状に噛み込まない程度の間隔、例えば遊技球の直径以上で遊技球の直径の１．１〜１．４倍以下に設定されている。なお、この数値は単なる例示に過ぎず、これに限定されるものではない。
【００４９】
下当接板部６８は、図４、図７〜図９に示すように、裏面の一部が遊技盤１１の前面に当接しており、前面に第３球通過面６８ａが形成されている。上傾斜板部６９は第１球通過面６６ａと第２球通過面６７ａとを傾斜状に接続する上傾斜球通過面６９ａが前面に設けられている。下傾斜板部７０は第２球通過面６７ａと第３球通過面６８ａとを傾斜状に接続する下傾斜球通過面７０ａが前面に設けられている。両傾斜球通過面６９ａ，７０ａは逆向きに傾斜しており、その傾斜角度は上傾斜球通過面６９ａが下傾斜球通過面７０ａよりも小であるが、同じでもよいし、大小逆でもよい。
【００５０】
なお、第２球通過面６７ａは遊技盤１１の前面、第１球通過面６６ａ、第３球通過面６８ａ等の他の球通過面よりも前側に突出する突出球通過面を構成している。
【００５１】
球障害部６３には、図４〜図９に示すように、内レール１５の戻り防止具１８よりも上側で打ち込み領域６０に配置された複数（２個）の障害突起７１と、障害領域６１に配置された上下方向に複数の障害突起７２及び誘導突起７３とがある。
【００５２】
障害突起７１は前側（又は裏側）が閉塞し裏側（又は前側）に開口する中空の角柱状その他の適宜形状であって、ガイドレール１２から遊技領域１４に打ち込まれた遊技球を衝突させて衝撃を緩和し、又は遊技球の落下方向に変化を与えるためのもので、遊技球の打ち込み位置に対応して２個設けられている。
【００５３】
またセンターケース２６の打ち込み領域６０に対応する周壁部４１は、障害突起７１との間に遊技球の通過し得る間隔をおいて凹凸形状に形成された凹凸部分４１ａと、凹凸部分４１ａの下側で戻り防止具１８と対向する傾斜部４１ｂとを有し、凹凸部分４１ａ、傾斜部４１ｂを経由しながら遊技球が障害領域６１へと斜め下方に落下するようになっている。
【００５４】
障害領域６１には内レール１５の近傍に上下２個の誘導突起７３が設けられ、また内レール１５とセンターケース２６の周壁部４１との間に、上下方向に複数の障害突起７２がジグザグ状その他の配列で列状に設けられている。
【００５５】
一方、センターケース２６の障害領域６１に対応する周壁部４１は、傾斜部４１ｂの下部から障害領域６１の中央側に遊技球を寄せる寄せ部４１ｃと、寄せ部４１ｃの下側に設けられ且つ遊技球を障害突起７２側へと順次寄せながら下方へと案内する円弧状その他の上下方向に複数の誘導部４１ｄとが設けられており、遊技球の落下方向が変化するように障害突起７２、誘導突起７３に対応して凹凸状になっている。
【００５６】
誘導突起７３は前側に開口する中空の角柱状その他の適宜形状であって、離間板部６７の上下方向の中間位置（略中央）と、離間板部６７と下傾斜板部７０とに跨がる位置との２箇所に配置され、内レール１５に沿って落下する遊技球を周壁部４１側へと誘導する円弧状の誘導面７３ａを有する。障害突起７２は遊技球の落下方向を変化させる円柱状その他の適宜形状であって、中心側には前後方向の貫通孔が同心状に形成されている。
【００５７】
障害突起７２、誘導突起７３等の球障害部６３の前端はガイドレール１２の内レール１５の前端と略同程度であって、その前端とガラス扉４のガラス板１０の裏面との間隔は遊技球の半径未満となっている。
【００５８】
なお、左側通路３８の釘打ち領域６２に対応してセンターケース２６の周壁部４１には、図３に示すように、側面に開口するワープ口７５が設けられている。またセンターケース２６の下部には、ワープ口７５から入った遊技球を左右に転動させる転動部７６が設けられ、この転動部７６から第１特別図柄始動手段２９上へと遊技球を落下させるようになっている。
【００５９】
右側通路３９は遊技球が１個通過できる程度の狭い通路幅を有する。センターケース２６の台板４０には、遊技盤１１の前面に当接して右側通路３９内に張り出す通路板３９Ａが一体的に設けられている。通路板３９Ａの下端部には、右側通路３９を経て落下した遊技球を中央側に寄せる障害突起７８が設けられている。
【００６０】
センターケース２６の右側通路３９側の周壁部４１には、右側通路３９内を通過する遊技球の落下速度を抑制する前後方向の障害突部７９が上下方向に多数（複数）設けられている。
【００６１】
遊技に際しては、発射ハンドル８を操作して、球供給皿７内の遊技球を発射手段へと供給しながら、その遊技球を発射手段により遊技盤１１側へと順次発射し、ガイドレール１２を経て遊技領域１４へと遊技球を打ち込む。このとき通常確率状態であれば、第１特別図柄始動手段２９に入賞し易い左側通路３８に遊技球が集中するようにその打ち込み領域６０へと打ち込む左打ちをする。
【００６２】
左側通路３８の打ち込み領域６０に打ち込まれた遊技球は、内レール１５の内側の障害領域６１等に沿って落下した後、遊技球が第１特別図柄始動手段２９等に入賞するか、又は入賞せずにアウト球口５２から遊技盤１１の裏側へと移動する。遊技球が第１特別図柄始動手段２９に入賞すると、第１特別図柄表示手段３４の第１特別図柄、演出図柄表示手段５３の演出図柄５４ａ〜５４ｃが同期して所定時間変動する。
【００６３】
そして、第１特別図柄始動手段２９に遊技球が入賞したときの抽選結果が特別遊技であるか否かに応じて、第１特別図柄表示手段３４の第１特別図柄が所定時間変動して、その変動後の第１特別図柄が特別態様又は非特別態様で停止し、演出図柄表示手段５３の演出図柄５４ａ〜５４ｃが特別演出態様又は非特別演出態様で停止する。
【００６４】
通常確率状態中でも右側通路３９に進入した遊技球が普通図柄始動手段２８に入賞すれば、普通図柄表示手段３３の普通図柄が変動して変動後に特定態様で停止することもある。しかし、通常確率状態中は第２特別図柄始動手段３０の開放時間が極僅かであるため、第２特別図柄始動手段３０に遊技球が入賞する可能性は非常に低い。
【００６５】
第１特別図柄表示手段３４の変動後の第１特別図柄が特別態様で停止すれば遊技者に有利な特別遊技状態となり、開閉入賞手段３１が抽選された所定の開閉パターンで所定ラウンド数開閉動作を繰り返すので、遊技者は開閉入賞手段３１に遊技球が入賞し易い右側通路３９側に遊技球を集中させるべく右打ちをする。
【００６６】
右側通路３９に入った遊技球はセンターケース２６の下側を経て遊技領域１４の中央側へと移動した後、普通図柄始動手段２８、開閉入賞手段３１、特別図柄始動手段２９，３０等に入賞するか、アウト球口５２側へと流下する。なお、特別遊技の場合には、所定の開閉パターンで開閉する大入賞口５５に入賞する。
【００６７】
左打ち時に左側通路３８の打ち込み領域６０に打ち込まれた遊技球は、２個の障害突起７１の一方又は両方に衝突するか、障害突起７１に衝突せずにセンターケース２６の打ち込み領域６０側の周壁部４１に衝突した後、落下方向を適宜変えながら打ち込み領域６０の下側を経て障害領域６１へと移動する。
【００６８】
打ち込み領域６０側にはセンターケース２６の台板４０と一体の通路板３８Ａの前面に第１球通過面６６ａがあるが、その第１球通過面６６ａは遊技盤１１に当接する上当接板部６６の前面に形成されているため、第１球通過面６６ａとガラス扉４のガラス板１０との間には十分な間隔がある。従って、打ち込み領域６０内で障害突起７１に衝突するか、又は打ち込み領域６０側の周壁部４１に衝突する等を繰り返しながら、打ち込み領域６０内で遊技球を任意の方向に飛散又は落下させることができる。
【００６９】
打ち込み領域６０の障害突起７１等に衝突した遊技球は、通路板３８Ａの第１球通過面６６ａ、周壁部４１の傾斜部４１ｂに沿って戻り防止具１８の内側を落下した後、その上傾斜球通過面６９ａの案内によりガラス板１０側へと前側に寄せられながら落下し、離間板部６７の第２球通過面６７ａとガラス板１０との間へと入る。そして、上下方向に配置された複数の球障害部６３の障害突起７２、誘導突起７３に順次衝突して、その都度方向を変えながら第２球通過面６７ａとガラス板１０との間の狭い空間を落下する。
【００７０】
第２球通過面６７ａの上端側に達した遊技球は、上端側の第１番目の障害突起７２に衝突して左側又は右側を経て下方に落下するか、第１番目の障害突起７２に衝突せずにその左側又は右側を通って落下する。
【００７１】
そして、第１番目の障害突起７２の左側を経て内レール１５に沿って落下する遊技球があれば、その遊技球は例えば誘導突起７３に衝突した後、その誘導面７３ａにより内側へと誘導される。また第１番目の障害突起７２の右側を経て落下する遊技球があれば、その遊技球は周壁部４１に衝突してその誘導部４１ｄにより外側へと誘導される。このようにして遊技球が落下するに伴って各球障害部６３に順次衝突して遊技球の落下方向が変化する。
【００７２】
障害領域６１を通過した遊技球はその下側の釘打ち領域６２に入り、各遊技釘等により適宜案内されながら落下し、各入賞手段３２等に入賞するか、入賞せずにアウト球口５２へと案内されて行く。
【００７３】
このよう左側通路３８の障害領域６１に配置された通路板３８Ａに、その第１球通過面６６ａよりも前側に突出する第２球通過面６７ａを設けているため、第２球通過面６７ａとガラス扉４のガラス板１０との間隔が第１球通過面６６ａとガラス板１０との間隔に比較して小さくなり、第２球通過面６７ａとガラス板１０との間の通路断面積を小さくすることができる。
【００７４】
従って、この第２球通過面６７ａに複数の球障害部６３、取り分け複数の障害突起７２、誘導突起７３があって、この障害突起７２、誘導突起７３に遊技球が衝突しながら落下することと相俟って、遊技球の落下速度を効果的に抑制することができる。
【００７５】
また障害領域６１に複数の障害突起７２、誘導突起７３があり、障害領域６１を通過する多数の遊技球が障害突起７２、誘導突起７３に衝突して方向を変えながら落下するため、障害突起７２、誘導突起７３に対して衝撃が断続的に加わる。しかし、第１球通過面６６ａよりも前側に突出する第２球通過面６７ａに障害突起７２、誘導突起７３を一体的に設けているので、障害突起７２、誘導突起７３の突出長さを短くすることができ、障害突起７２、誘導突起７３の耐久性の向上を図ることができる。
【００７６】
更に障害領域６１には複数の障害突起７２、誘導突起７３があるが、第２球通過面６７ａが第１球通過面６６ａよりも前側に突出しているため、障害突起７２、誘導突起７３等により下側から支えられた状態で第２球通過面６７ａとガラス板１０との間に２〜３個の遊技球がブリッジ状に噛み込む球噛み等を防止することができる。
【００７７】
なお、台板４０の上当接板部６６、離間板部６７、下当接板部６８、上傾斜板部６９、下傾斜板部７０の全部又は一部、例えば上当接板部６６及び離間板部６７等の必要箇所に、遊技盤１１の開口部３７内に対応するか、又は開口部３７からその外側の一部に対応する部分に透視部を設け、その透視部に対応して台板４０の裏側や支持部材５０の前側に演出体、装飾体等を配置して、その透視部の内側から透視部まで演出領域、装飾領域を拡大するようにしてもよい。
【００７８】
透視部は台板４０自体に透明な合成樹脂材料を使用して形成してもよいし、台板４０に遊技球の通過を害しない程度の開口を設けて形成してもよい。また台板４０自体に透明な合成樹脂材料を使用する場合には、透視部以外の部分は必要に応じて台板４０の前面又は裏面にメッキ、塗装、シール等の遮蔽部を設ければよい。
【００７９】
図１０〜図１３は本発明の第２の実施形態を例示する。この実施形態では、左側通路３８は図１０、図１１に示すように、センターケース２６と一体の通路板３８Ａの前面に形成された打ち込み領域６０と障害領域６１とを上下に備え、その下側に、通過ゲート式の普通図柄始動手段２８を有する釘打ち領域６２が設けられている。打ち込み領域６０は第１の実施形態と略同様である。
【００８０】
障害領域６１には、図１１〜図１３に示すように、内レール１５に沿って内側近傍に配置され且つ遊技球を１個ずつ整列して落下させる整列部８０と、打ち込み領域６０からの遊技球を整列部８０側へと集合させる集合部８１と、整列部８０を通過した遊技球を遊技領域１４の中央寄りに誘導する誘導部８２とが設けられ、それらがセンターケース２６の内レール１５と対向して周壁部４１に設けられた突出壁４１ｅと、この突出壁４１ｅと対向して内レール１５側に設けられた球障害部６３とにより形成されている。
【００８１】
球障害部６３は突出壁４１ｅとの間に整列部８０を挟んで内レール１５の近傍に配置された整列壁８３と、整列壁８３の下側から突出壁４１ｅの下側へと円弧状に湾曲又は屈曲する誘導壁８４とを有する。
【００８２】
誘導壁８４は、図１１に示すように、遊技球と接触する上壁部８４ａと、上壁部８４ａの下側に配置された下壁部８４ｂと、この両壁部８４ａ，８４ｂ間に一体的に形成され且つ上壁部８４ａを下側から補強する補強壁８４ｃとを有する中空状に形成されている。なお、誘導壁８４は裏側に開口してもよいし、逆に前側に開口してもよい。
【００８３】
左側通路３８内の通路板３８Ａは、図１１及び図１３に示すように第１の実施形態と同様に、打ち込み領域６０に対応する上当接板部６６と、障害領域６１に対応する離間板部６７と、上当接板部６６から離間板部６７へと前向きに傾斜する上傾斜板部６９と、上傾斜板部６９と反対側に傾斜する下傾斜板部７０とを一体的に備えている。障害領域６１は離間板部６７、上傾斜板部６９及び下傾斜板部７０に跨がって設けられている。下傾斜板部７０の下端又は誘導部８２の下側に取り付け部８５があり、その取り付け部８５が遊技盤１１の前面に当接してネジ等の固定具８６により遊技盤１１に着脱自在に固定されている。
【００８４】
普通図柄始動手段２８は、図１１に示すように、支持板８７に装着して誘導部８２の下端の開口部８２ａよりも下方で左右方向の外側に配置され、下側へと通過する遊技球を検出スイッチ２８ａで検出するようになっている。支持板８７はセンターケース２６の周壁部４１から外レール１６側に突出して台板４０に一体的に設けられ、先端側でネジ等の固定具８８により遊技盤１１に着脱自在に固定されている。
【００８５】
普通図柄始動手段２８は誘導部８２の下端の開口部８２ａよりも内レール１５側に変位して配置されており、この普通図柄始動手段２８の左右両側には遊技球が通過し得るだけの余裕がある。なお、誘導部８２の下端の開口部８２ａと普通図柄始動手段２８との間には、遊技球の落下方向を変化させる複数の遊技釘が設けられている。他の構成は第１の実施形態と略同様である。
【００８６】
この実施形態では、左側通路３８の打ち込み領域６０に入った遊技球は、障害領域６１で１個ずつ整列され且つセンターケース２６の周壁部４１側へと誘導されながら釘打ち領域６２へと落下し、その普通図柄始動手段２８を通過するか、その左右両側の何れかを通過する。
【００８７】
障害領域６１ではその集合部８１で遊技球を整列部８０側へと集合させるため、集合後の遊技球は１個ずつ整列部８０に入り、この整列部８０を誘導部８２側へと落下して行く。そして、誘導部８２ではその遊技球をセンターケース２６側へと誘導した後、開口部８２ａから下方へと落下させる。開口部８２ａから落下した遊技球は遊技釘等に衝突しながら落下する。
【００８８】
このように左側通路３８の打ち込み領域６０で遊技球を不規則に変化させた後、障害領域６１の集合部８１で集めて整列部８０に送り、その整列部８０で遊技球を１個ずつ整列させてから、誘導部８２を経て普通図柄始動手段２８の上方へと落下させる場合にも、遊技球の落下速度を十分に抑制することができ、また第２球通過面６７ａとガラス板１０との間での遊技球の噛み込みを防止できる。
【００８９】
また通路板３８Ａに一体の球障害部６３を設けるに際しても、遊技盤１１から前側に離間する離間板部６７を設けることによって、その球障害部６３の耐衝撃性等の強度を容易に確保することができる。
【００９０】
しかも、集合部８１で遊技球を集めて整列部８０に送り、その整列部８０で遊技球を整列させながら開口部８２ａから普通図柄始動手段２８上へと遊技球を１個ずつ落下させるため、普通図柄始動手段２８の上側で遊技球が一時的に集中するようなことがなく、遊技球相互の干渉を防止することができる。
【００９１】
この実施形態の場合にも、第１の実施形態と同様に、台板４０の上当接板部６６、離間板部６７、下当接板部６８、上傾斜板部６９、下傾斜板部７０の全部又は一部、例えば上当接板部６６及び離間板部６７等の必要箇所に、遊技盤１１の開口部３７内に対応するか、又は開口部３７からその外側の一部に対応する部分に透視部を設け、その透視部に対応して台板４０の裏側や支持部材５０の前側に演出体、装飾体等を配置して、その透視部の内側から透視部まで演出領域、装飾領域を拡大するようにしてもよい。
【００９２】
図１４〜図１６は本発明の第３の実施形態を例示する。この実施形態の台板４０は、周壁部４１から内周側に突出する内周縁４０ａを一体的に備え、その台板４０の裏面の多くの部分が遊技盤１１の前面に当接されている。前飾り板４２は補強壁４２ａを備え、その補強壁４２ａが周壁部４１の内周で台板４０の内周縁４０ａに当接されている。なお、第１の実施形態における台板４０の裏側の裏補強壁４５が省略されている。
【００９３】
この実施形態のような構成を採用してもよい。なお、通路板３８Ａに障害領域６１に対応して離間板部６７、上傾斜板部６９及び下傾斜板部７０を形成し、その前側に周壁部４１及び球障害部６３を一体的に設けてもよい。
【００９４】
図１７〜図１９は本発明の第４の実施形態を例示する。この実施形態の通路板３８Ａには、障害領域６１に対応して離間板部６７、上傾斜板部６９及び下傾斜板部７０が形成されると共に、その離間板部６７、上傾斜板部６９及び下傾斜板部７０の裏側に幅方向に複数の補強リブ９０が形成されている。なお、補強リブ９０は左側通路３８に沿って長くなっている。
【００９５】
このように離間板部６７等の裏側に補強リブ９０を通路方向に沿って設けてもよい。この場合には、離間板部６７等の強度が大となり、球障害部６３の耐衝撃性を更に向上させることができる。
【００９６】
図２０、図２１は本発明の第５の実施形態を例示する。この実施形態の通路板３８Ａには離間板部６７に、球障害部６３の障害突起７２に対応して裏側に突出する突起７２ａが設けられ、この突起７２ａが遊技盤１１に当接されている。
【００９７】
このように球障害部６３に対応して裏側に突出する突起７２ａを設けて、その突起７２ａが遊技盤１１に当接するようにしてもよい。
【００９８】
図２２は本発明の第６の実施形態を例示する。各実施形態では、通路板３８Ａの離間板部６７は遊技盤１１と略平行にしているが、必ずしも略平行である必要はない。例えば、通路板３８Ａの離間板部６７は、図２２（ａ）に示すように、上傾斜板部６９とこれよりも長い下傾斜板部７０とによって構成してもよいし、図２２（ｂ）に示すような円弧状、又は図２２（ｃ）に示すような側面視ジグザグ、その他の凹凸状に構成してもよい。また離間板部６７には図２２（ｄ）に示すように球障害部６３の障害突起７２の他に、遊技球の落下方向と略直交する方向の突条８９を設けてもよい。突条８９に代えて独立の球面状の突部を設けてもよい。
【００９９】
図２３〜図２５は本発明の第７の実施形態を例示する。この実施形態の通路板３８Ａには、障害領域６１の前面に通路方向に長い突条９１が通路幅方向に複数本形成されており、その複数本の突条９１の集合体により、第１球通過面６６ａよりも前側に突出する第２球通過面６７ａ、上傾斜球通過面６９ａ及び下傾斜球通過面７０ａが形成されている。通路板３８Ａの適当箇所には、障害突起７２等の球障害部６３が一部の突条９１と一体的に形成されている。なお、通路板３８Ａの裏面は略平坦状に形成され、その一部又は全部が遊技盤１１の前面に当接している。
【０１００】
このように通路板３８Ａの前面に形成された複数本の突条９１の集合により第２球通過面６７ａ等を形成してもよい。また突条９１に代えて適宜大きさの突起を多数形成して、その突起の前面側の集合により第２球通過面６７ａ等を形成することも可能である。
【０１０１】
以上、本発明の各実施形態について詳述したが、本発明はこの各実施形態に限定されるものではなく、本発明の趣旨を逸脱しない範囲で種々の変更が可能である。例えば、各実施形態では、第１遊技部品をセンターケース２６、第２遊技部品をガイドレール１２として、その両者間に形成される左側通路３８について例示したが、センターケース２６と区画部材１３との間に形成される右側通路３９でも同様に実施可能であり、また隣り合う遊技部品間に形成される、左側通路３８及び右側通路３９以外の通路においても同様に実施可能である。通路を挟んで配置される一対の遊技部品は、その両方が遊技領域１４内に配置されるものでもよいし、その一方が遊技領域１４の外部に配置されるものでもよい。
【０１０２】
各実施形態では、左側通路３８の打ち込み領域６０にも、センターケース２６の台板４０と一体の通路板３８Ａに遊技盤１１の前面に当接する上当接板部６６を設け、この上当接板部６６の前面を第１球通過面６６ａとしているが、この打ち込み領域６０の上当接板部６６を省略して、遊技盤１１の前面を第１球通過面６６ａとしてもよい。その場合には、第２球通過面６７ａ（突出球通過面）は遊技盤１１の前面である他の球通過面よりも突出すれば十分である。
【０１０３】
また第２球通過面６７ａ（突出球通過面）を形成するに当たって離間板部６７を設け、この離間板部６７の前面に第２球通過面６７ａを形成しているが、第２球通過面６７ａが遊技盤１１の前面よりも突出する場合には、遊技盤１１の前面に当接する通路板３８Ａに設けてもよい。
【０１０４】
左側通路３８等に配置される通路板３８Ａは、センターケース２６等の台板４０の外周に一体的に形成する他、通路の両側の各遊技部品に別の専用の通路板３８Ａを設けてもよい。従って、その場合には、通路板３８Ａは通路に対応する形状とし、その前面に球障害部６３が一体的に設けられることとなる。
【０１０５】
また専用の通路板３８Ａを遊技盤１１に設ける場合、その通路板３８Ａは複数の係合爪、ネジ等の固定手段により遊技盤１１に着脱自在に装着してもよいし、その両側その他の付近に配置される他の１個又は複数の遊技部品により押え付けて遊技盤１１に装着するようにしてもよい。
【０１０６】
更に本発明はパチンコ機の他、アレンジボール機、その他の各種の弾球遊技機においても同様に実施可能であることは云うまでもない。
【符号の説明】
【０１０７】
１１  遊技盤
１２  ガイドレール（第２遊技部品）
１４  遊技領域
２６  センターケース（第１遊技部品）
３８Ａ，３９Ａ  通路板
３８  左側通路
３９  右側通路
４０  台板
４１  周壁部
６０  打ち込み領域
６１  障害領域
６３  球障害部
６６  上当接板部
６６ａ  第１球通過面
６７  離間板部
６７ａ  第２球通過面
６８  下当接板部
６８ａ  第３球通過面
６９ａ  上傾斜球通過面
７０ａ  下傾斜球通過面
７１，７２  障害突起
７３  誘導突起
８０  整列部
８１  集合部
【図１】
2015054110.tif 000003
【図２】
2015054110.tif 000004
【図３】
2015054110.tif 000005
【図４】
2015054110.tif 000006
【図５】
2015054110.tif 000007
【図６】
2015054110.tif 000008
【図７】
2015054110.tif 000009
【図８】
2015054110.tif 000010
【図９】
2015054110.tif 000011
【図１０】
2015054110.tif 000012
【図１１】
2015054110.tif 000013
【図１２】
2015054110.tif 000014
【図１３】
2015054110.tif 000015
【図１４】
2015054110.tif 000016
【図１５】
2015054110.tif 000017
【図１６】
2015054110.tif 000018
【図１７】
2015054110.tif 000019
【図１８】
2015054110.tif 000020
【図１９】
2015054110.tif 000021
【図２０】
2015054110.tif 000022
【図２１】
2015054110.tif 000023
【図２２】
2015054110.tif 000024
【図２３】
2015054110.tif 000025
【図２４】
2015054110.tif 000026
【図２５】
2015054110.tif 000027